(57)【要約】【課題】【解決手段】リコーダ（２２）用に適切に考案された弱音器（１）は、吹き込まれた空気が注がれると空気渦を生成するのに適した鋭角の縁（Ｓ）によって部分的に境界された窓（２６）を備えたリコーダ（２２）の音響を和らげることができ、鋭角の縁（Ｓ）に向かって流れる吹き込まれた空気を部分的に逸らすように窓（２６）から挿入された流れバリヤを備える。【選択図】図１Ｂ
2009524090.tif 000002
【特許請求の範囲】
【請求項１】
リコーダ（２２）用の弱音器（１）であって、
前記リコーダ（２２）は、吹いたときに吹き込まれた空気によって空気の渦を生成するのに適した鋭角の縁（Ｓ）によって部分的に区切られた窓（２６）を備え、
前記弱音器（１）は、前記鋭角の縁（Ｓ）に向かって流れる前記吹き込まれた空気を部分的に逸らすために前記窓（２６）から挿入される流れバリヤを備えたことを特徴とする弱音器。
【請求項２】
前記流れバリヤは、前記窓（２６）から部分的に挿入されたリーフ（３）であることを特徴とする請求項１に記載の弱音器。
【請求項３】
前記リーフ（３）には、前記鋭角の縁（Ｓ）に対向する第１の通し穴（１６）が設けられていることを特徴とする請求項２に記載の弱音器。
【請求項４】
前記リーフ（３）は角部（１４）を形成する曲げ部（１３）を備え、前記第１の通し穴（１６）は前記角部（１４）に配置されていることを特徴とする請求項３に記載の弱音器。
【請求項５】
前記曲げ部（１３）は前記吹き込まれた空気の一部が前記第１の通し穴（１６）を通らずに前記リコーダ（２２）の中空本体（２３）の中へ、および前記中空本体（２３）外へそれぞれ逸れるように形成されていることを特徴とする請求項４に記載の弱音器。
【請求項６】
前記角部（１４）は若干鈍角であることを特徴とする請求項４に記載の弱音器。
【請求項７】
前記流れバリヤを支持する支持要素を備え、
前記支持要素は前記リコーダ（２２）に接続されていることを特徴とする請求項１〜６のいずれか１項に記載の弱音器。
【請求項８】
前記支持要素は、前記リコーダ（２２）に固定して接続されていることを特徴とする請求項６に記載の弱音器。
【請求項９】
前記支持要素はクリップ（２）であることを特徴とする請求項６または７に記載の弱音器。
【請求項１０】
前記クリップ（２）は、相互に接続された前記リコーダ（２２）をクランプ留めするのに適した２本のアーム（７）と、前記２本のアーム（７）の接続点付近に配置された孔（９）とを備えていることを特徴とする請求項８に記載の弱音器。
【請求項１１】
前記クリップ（２）はプラスチック材料から成ることを特徴とする請求項８または９に記載の弱音器。
【請求項１２】
前記リーフ（３）は第２の通し穴（１７）を備えていることを特徴とする請求項２〜１１のいずれか１項に記載の弱音器。
【請求項１３】
前記リーフ（３）は、ステンレス鋼、アルミニウム、合金などの金属材料から成ることを特徴とする請求項２〜１１のいずれか１項に記載の弱音器。
【請求項１４】
前記リーフ（３）はナイロンまたはこれに類する製品から成ることを特徴とする請求項２〜１１のいずれか１項に記載の弱音器。
【請求項１５】
前記支持要素を前記流れバリヤに接続する接続手段を備えたことを特徴とする請求項６〜１３のいずれか１項に記載の弱音器。
【請求項１６】
前記接続手段は、くさび形要素（５）と、内部がねじ切りされたナット（６）と、ヘッド（１９）およびネジ（２０）を具備したハンドホイール（４）とを備えたことを特徴とする請求項１４に記載の弱音器。
【請求項１７】
前記ネジ（２０）は、前記クリップ（２）の孔（９）、前記くさび形要素（５）、前記リーフ（３）の前記第２の通し穴（１７）、前記ナット（６）に挿入され、前記ハンドホイール（４）を締めることによって、前記リーフ（３）に、次にくさび形要素に荷重をかけ、これにより前記クリップ（２）の角度が付いた内面に作用してアーム（７）を開くことを特徴とする請求項９、１１、１５のいずれか１項に記載の弱音器。
【請求項１８】
前記弱音器（１）は異なる程度の音響軟化効果を得るために、前記リコーダ（２２）に沿っていくつかの位置へ選択的に移動可能であることを特徴とする請求項１〜１７のいずれか１項に記載の弱音器。
【請求項１９】
前記弱音器（１）は異なる度合いの音響軟化効果を得るために前記リコーダ（２２）に沿っていくつかの位置へ選択的に移動可能であり、
前記角部（１４）は第１位置において前記リコーダ（２２）の前記窓の前記鋭角の縁Ｓに非常に接近して柔らかく明瞭な音を生じ、
前記角部（１４）は他の位置において前記窓（２６）の前記鋭角の縁Ｓから離間してさらに柔らかく単調な音を生じることを特徴とする請求項４〜１７のいずれか１項に記載の弱音器。
【請求項２０】
吹き込まれた空気が注がれると空気の渦を生成するのに適した鋭角の縁（Ｓ）によって部分的に境界された窓（２６）と、弱音器（１）とを備えたリコーダ（２２）であって、
前記弱音器（１）は、前記鋭角の縁（Ｓ）へ向かって流れている前記吹き込まれた空気を部分的に逸らすために、前記窓（２６）から挿入された流れバリヤを備えていることを特徴とするリコーダ（２２）。
【請求項２１】
吹いたときに吹き込まれた空気によって空気の渦を生成するのに適した鋭角の縁（Ｓ）によって部分的に区切られた窓（２６）を備えたリコーダ（２２）と弱音器（１）との組合せであって、
前記組合せは、前記弱音器（１）が、前記鋭角の縁（Ｓ）に向かって流れている前記吹き込まれた空気を部分的に逸らすために、前記窓（２６）から挿入される流れバリヤを備えていることを特徴とするリコーダ（２２）と弱音器（１）との組合せ。
【発明の詳細な説明】
【技術分野】
【０００１】
本発明は、リコーダ、特にトレブルリコーダ（高音域リコーダ）用の弱音器に関する。
【背景技術】
【０００２】
トランペットのような管楽器の多くには、通常、ジャズ音楽を演奏するため、または、練習中の強い反響を和らげるために弱音器が付いている。
リコーダ、特にトレブルリコーダは、義務教育課程において学校で広く使用されている。
リコーダは、非常に耳障りになり得るハイピッチまたは超ハイピッチな音調を特徴とする。
さらに、１オクターブ上のいくつかの音符は、強く吹き込んで、ハイピッチ且つ大きな音を強制的に発することでのみ得られることも考慮しなければならない。
【０００３】
練習中における避けられない間違いに加え上述の動作条件を考慮すると、子供のリコーダ練習はどうしても悩みの種となってしまう。そこで、近隣の人々に迷惑をかけずに練習することを可能にする弱音器を具備したリコーダを提供する必要がある。
【０００４】
吹き込んだ空気が通るチャネルを形成したマウスピース付きの中空本体を具備した従来タイプのリコーダ用弱音器は、空気がチャネル内を自由に流れることができる引き込み位置と、チャネルを部分的に遮断する有効位置との間で移動可能な通気性の弱音手段を備えている。弱音手段には空気の流れを規制するための複数の小通路が設けられている。
【０００５】
このタイプの弱音器は、簡単にリコーダに取り付けることができない。また、このタイプの弱音器は、マウスピース内の、例えば子供には見つけ難い特定の位置に正確に位置決めする必要がある。
【発明の開示】
【発明が解決しようとする課題】
【０００６】
本発明の目的は、音調を維持しながらも、音色および音の強度を和らげることができる弱音器を提供することである。また、本発明の目的は特に、信頼性の高い、効率的かつ経済的なリコーダ用弱音器を提供することである。本発明の目的はさらに、子供でも簡単にリコーダに取り付けることが可能な弱音器を提供することである。
【課題を解決するための手段】
【０００７】
本発明によれば、リコーダ用の弱音器が提供され、このリコーダは、吹いたときに吹き込まれた空気によって空気の渦を生成するのに適した鋭角の縁によって部分的に区切られた窓を備え、弱音器は、鋭角の縁に向かって流れる吹き込まれた空気を部分的に逸らすために、窓から挿入される流れバリヤを備えることによって特徴付けられる。
【０００８】
本発明に係る弱音器は、必要に応じてリコーダの音の緩和度合いを選択できるように調整することができる利点を有する。この弱音器は、最大緩和位置に調整すると、夜間でも近所に迷惑をかけることなくリコーダを演奏することが可能になる。
【０００９】
さらに、この弱音器は、リコーダの清掃が必要な際に非常に便利である。実際、リコーダ内に過剰な唾液が形成された場合には強く吹き込むことで清掃を行うが、この際に耳障りな吹音が発せられることが避けられない。一方、弱音器を取り付ければ、非常に強く吹き込んでも、耳障りな吹音は発せられない。
【００１０】
最後に、本発明に係る弱音器は、リコーダへの着脱が簡単であり、市販されている全てのリコーダに適用できる。
【００１１】
次に、本発明の非限定的な実施形態を、添付の図面を参照しながら例証の方法で説明する。
【発明を実施するための最良の形態】
【００１２】
図１Ａ中の符号１は弱音器を示し、この弱音器は、クリップ２、リーフ３、ハンドホイール４、くさび形要素５、ナット６を備えている。
クリップ２は一般にプラスチックのような可撓性材料から成り、リーフ３を支持し、弱い圧力でリコーダ２２（図４）から容易に取付け／取外しできることが好ましい。クリップ２は、相互に接続され、リコーダ２２の本体２３（図４）をクランプ留めするのに適した２本のアーム７を備えている。また、クリップ２は、２本のアーム７の接続点付近に配置された孔９を備える。
【００１３】
図１Ｂを参照すると、リーフ３は、若干鈍角を成す角部１４を形成する曲げ部１３を備える第１部分１１と、湾曲した第２部分１２とを備えている。
第１部分１１は、実質的に角部１４に配置された第１の通し穴１６と、端部フィン１５とを備えている。第１の通し穴１６は円形であり、数ミリメートルの直径を有することが好ましい（図１Ａにてよりわかりやすく示す）。
【００１４】
リーフ３の第２部分１２には、第２の通し穴１７が設けられている。
リーフ３は、適切な材料、例えばステンレス鋼、アルミニウム、合金、並びにナイロンまたは類似の製品から成り、厚さ約０．７〜０．８ミリメートル、幅約９ミリメートルである。リーフ３の寸法は、主にリーフ３の材料に従って選択される。
【００１５】
ハンドホイール４は、リーフ３をクランプ留めし、クリップ２のアーム７を若干開放させる２つの機能を兼ねており、この機能によりサイズの異なるリコーダへの取付けが容易になる。
ハンドホイール４は、ヘッド１９とネジ２０を備える。ネジ２０は、クリップ２の孔９、くさび形要素５、リーフ３の第２の通し穴１７、最後にナット６内に挿入される。
【００１６】
ナット６の内部はねじ切りされているため、ネジ２０によってリーフ３、さらにくさび形要素５に荷重がかかり、これによりクリップ２の角度が付いた内面に作用してアーム７が開放される。
【００１７】
図２は、リコーダ２２に弱音器１を取り付ける第１ステップを示す。
リコーダ２２は中空の本体２３を備え、この本体２３は縦軸Ａに沿って延びており、使用者が息を吹き込むマウスピース２４と呼ばれる一端と、ブロック２５と、窓２６と、複数の円形の穴（簡略化のために図示せず）とを備えている。ブロック２５は中空本体２３の内部の、マウスピース２４の隣に配置され、チャネルＣを画定する。窓２６はマウスピース２４に近接しており、鋭角の縁Ｓによって部分的に境界されており、この鋭角の縁Ｓはマウスピースに対して遠位にあり、チャネルＣの出口に対向し、窓２６に向かって厚さが減少する壁によって画定されている。鋭角の縁Ｓは、リコーダ２２の最も重要な部分の１つであり、したがって、弱音器１をリコーダ２２に取り付ける際には注意を払う必要がある。
【００１８】
実際には、通常、吹き込まれた空気はリコーダ２２のチャネルＣから排出され、空気渦生成器として機能する鋭角の縁Ｓに当てられる。次に、これらの渦がリコーダ２２の中空本体２３内に送られることで音が生じ、さらに、この音が、演奏者が中空本体２３に沿って位置決めされた円形穴（簡略化のために図示せず）を指で選択的に開閉することで変調される。
【００１９】
図２に示すように、第１の通し穴１６が鋭角の縁Ｓと対向する形でリーフ３と鋭角の縁Ｓが接触し擦り合うことを回避するために、リーフ３の第１部分１１は、窓２６の略中間部分から中空本体２３内に挿入される。
【００２０】
図３に示すように、クリップ２は、アーム７がリコーダ２２の中空本体２３をクランプ留めするように下げられる。
【００２１】
図４に示すように、弱音器１を軸Ａと平行する方向に数ミリメートル滑らせて、窓２６の鋭角の縁Ｓの前へ出すことにより、リーフ３の角部１４が鋭角の縁Ｓに接近した第１位置において弱音器１が停止する。この第１位置において、実質的に鋭角の縁Ｓの前に位置決めされているリーフ３の第１部分１１が、チャネルＣからの空気を逸らすための流れバリヤ効果を生じ、これにより鋭角の縁Ｓに衝突する空気が減少し、空気渦が生成されることで、リコーダ２２の音が生成される。
【００２２】
無音効果を達成するには、第１の通し穴１６を鋭角の縁Ｓと軸Ａと平行な方向に整列させることにより、第１の通し穴１６を通る吹き込まれた空気の少量が常に鋭角の縁Ｓによって遮断され、音を生じさせる空気渦を形成できるようにする。第１の通し穴１６の鋭角の縁Ｓに対する正しい位置を調整することは、リーフ３の湾曲を適切に選択することで達成できる。第１の通し穴１６を通過しない、吹き込まれた空気の第１部分は、端部フィン１５によって逸らされて中空本体２３内に入り、一方、第１の通し穴１６を通過しない、吹き込まれた空気の第２部分は、湾曲した第２部分１２によって逸らされて、リコーダ２２の中空本体２３の外へ排出される。
【００２３】
弱音器１は、リコーダ２２の音を複数の度合いで和らげるために調整することができる利点を有する。実際には、弱音器１を中空本体２３に沿っていくつかの位置へ選択的に移動させることで、複数の度合いで音を和らげる効果が得られる。第１位置では、角部１４は、リコーダ２２の窓２６の鋭角の縁Ｓに非常に接近して、柔らかく明瞭な音を生じさせ、これ以外の位置では、角部１４が窓２６の鋭角の縁Ｓから離間するほど、弱音器１から生じる音が柔らかく無音質になる。
【００２４】
弱音器１の移動は、クリップ２を、リコーダ２２の軸Ａと平行する方向へ数ミリメートル滑らせるだけでよい。弱音器１を主要位置から他の位置へ段階的に移動させることで、流れバリヤ効果が大きくなるため、音は段階的に柔らかくなり、より「無音質」となる。
【００２５】
取付け時と同様に、簡略化のために添付の図面には示していないが、リコーダ２２から弱音器１を取り外す場合、単純に弱音器１を軸Ａと平行な方向に滑らせることによって、リーフ３の角部１４を鋭角の縁Ｓから離れた場所へ変位させることが必要となる。次に、クリップ２を単純に１回転させると、リコーダ２２から弱音器１を取り外すことができる。
【００２６】
弱音器１の、リコーダ２２と接触している要素はクリップ２のアーム７だけであり、ここに僅かな圧力がかかる。この圧力は、遮断用のハンドホイール４によって予め調整されており、発生する摩擦をリコーダ２２の外面を損傷しない最小ものにしている。
【００２７】
このように想到された本発明は、特に材料およびサイズを考慮した場合に多くの変更および変形が可能であり、こうした変更および変形は全て本発明の概念の範囲内に包含される。
【図面の簡単な説明】
【００２８】
【図１Ａ】本発明によるリコーダ用弱音器の略正面図を、明瞭化の目的でいくつかの部品を取り除いた状態で示す。
【図１Ｂ】図１Ａの弱音器の略側面図を、明瞭化の目的でいくつかの部品を取り除いた状態で示す。
【図２】リコーダへの取付け段階にある図１Ａの弱音器を、一部を断面図にて、一部を明瞭化の目的で取り除いた状態で示す略側面図である。
【図３】リコーダに対する一動作位置にある図１Ａの弱音器を、一部を断面図にて、一部を明瞭化の目的で取り除いた状態で示す略側面図である。
【図４】リコーダに対する一動作位置にある図１Ａの弱音器を、一部を断面図にて、一部を明瞭化の目的で取り除いた状態で示す略側面図である。
【図１Ａ】
2009524090.tif 000003
【図１Ｂ】
2009524090.tif 000004
【図２】
2009524090.tif 000005
【図３】
2009524090.tif 000006
【図４】
2009524090.tif 000007
【国際調査報告】
2009524090.tif 000008
2009524090.tif 000009